(57)【要約】【課題】表示装置等に視線移動させることなく、操作者が所望する情報を呈示することができる情報呈示装置を提供する。【解決手段】この情報呈示装置１は、図１（ａ）及び（ｂ）に示すように、指による操作を案内する案内部１２と、案内部１２に案内されながらなされた操作を検出する検出部１４と、振動、音及び光の少なくとも１つを用いた呈示を行う呈示部１６と、呈示を行うための呈示領域を案内部１２に設定し、設定した呈示領域になされた操作が検出部１４によって検出された場合、呈示を行うように呈示部１６を制御する制御部１８と、を備えて概略構成されている。【選択図】図１
2014077650.tif 000002
【特許請求の範囲】
【請求項１】
検出対象物による操作を案内する案内部と、
前記案内部に案内されながらなされた操作を検出する検出部と、
振動、音及び光の少なくとも１つを用いた呈示を行う呈示部と、
前記呈示を行うための呈示領域を前記案内部に設定し、設定した前記呈示領域になされた操作が前記検出部によって検出された場合、前記呈示を行うように前記呈示部を制御する制御部と、
を備えた情報呈示装置。
【請求項２】
前記制御部は、取得した操作者が所望する情報に基づいて前記呈示領域を設定する請求項１に記載の情報呈示装置。
【請求項３】
前記制御部は、前記操作者が所望する情報に応じて前記案内部を含む平面に設定された設定点と、前記案内部の中心と、を結んだ直線と、前記案内部と、が交差する領域に基づいて前記呈示領域を設定する請求項２に記載の情報呈示装置。
【請求項４】
前記設定点は、前記情報呈示装置が電気的に接続されたカーナビゲーション装置において設定された目的地に基づいて設定される請求項３に記載の情報呈示装置。
【発明の詳細な説明】
【技術分野】
【０００１】
本発明は、情報呈示装置に関する。
【背景技術】
【０００２】
従来の技術として、筐体の異なる位置に配置された４個の能動素子と、目的地方向と端末方向の角度差を算出する角度差算出部と、算出された角度差に基づいて４個の能動素子の各々の知覚強度を決定し、知覚強度で４個の能動素子を制御する能動素子制御部と、を備えた携帯ナビゲーション装置が知られている（例えば、特許文献１参照。）。
【０００３】
この携帯ナビゲーション装置は、能動素子制御部が、角度差に応じて能動素子を駆動するので、ユーザは、能動素子の振動により、目的地の方向を知ることができる。
【先行技術文献】
【特許文献】
【０００４】
【特許文献１】特開２０１２−１２７９４０号公報
【発明の概要】
【発明が解決しようとする課題】
【０００５】
しかし、従来の携帯ナビゲーション装置は、装置自体が、剛体に近い性質を有するため、４個の能動素子の合成振動で振動する。よって、ユーザは、この装置の場所による振動の大きさの違いを感じ難くなって、目的地の方向が分かり難い問題がある。
【０００６】
従って、本発明の目的は、表示装置等に視線移動させることなく、操作者が所望する情報を呈示することができる情報呈示装置を提供することにある。
【課題を解決するための手段】
【０００７】
本発明の一態様は、検出対象物による操作を案内する案内部と、案内部に案内されながらなされた操作を検出する検出部と、振動、音及び光の少なくとも１つを用いた呈示を行う呈示部と、呈示を行うための呈示領域を案内部に設定し、設定した呈示領域になされた操作が検出部によって検出された場合、呈示を行うように呈示部を制御する制御部と、を備えた情報呈示装置を提供する。
【発明の効果】
【０００８】
本発明によれば、表示装置等に視線移動させることなく、操作者が所望する情報を呈示することができる。
【図面の簡単な説明】
【０００９】
【図１】図１（ａ）は、実施の形態に係る情報呈示装置の斜視図であり、（ｂ）は、情報呈示装置のブロック図である。
【図２】図２（ａ）は、実施の形態に係る情報呈示装置を上面から見た概略図であり、（ｂ）は、図２（ａ）のII（ｂ）-II（ｂ）線で切断した情報呈示装置の断面を矢印方向から見た概略図であり、（ｃ）は、呈示領域を説明するための上面図である。
【図３】図３（ａ）及び（ｂ）は、実施の形態に係る情報呈示装置の動作を説明するための概略図である。
【図４】図４は、実施の形態に係る情報呈示装置の動作に関するフローチャートである。
【図５】図５（ａ）は、タッチパッドの周囲に案内部が配置された変形例を示す概略図であり、（ｂ）は、ベゼルに設けられた開口が案内部となる変形例を示す概略図である。
【発明を実施するための形態】
【００１０】
（実施の形態の要約）
実施の形態に係る情報呈示装置は、検出対象物による操作を案内する案内部と、案内部に案内されながらなされた操作を検出する検出部と、振動、音及び光の少なくとも１つを用いた呈示を行う呈示部と、呈示を行うための呈示領域を案内部に設定し、設定した呈示領域になされた操作が検出部によって検出された場合、呈示を行うように呈示部を制御する制御部と、を備えて概略構成されている。
【００１１】
この情報呈示装置は、案内部に案内されながら行われた操作において、呈示領域に操作が行われると呈示を行うので、操作者が所望する情報に基づいて呈示領域を設定することにより、表示装置等に視線移動させることなく、操作者が所望する情報を呈示することができる。
【００１２】
[実施の形態]
（情報呈示装置１の構成）
図１（ａ）は、実施の形態に係る情報呈示装置の斜視図であり、（ｂ）は、情報呈示装置のブロック図である。なお、実施の形態に係る各図において、描かれた画像と画像の比率は、実際の比率とは異なる場合がある。
【００１３】
情報呈示装置１は、一例として、車両に搭載された電子機器と電気的に接続されている。この情報呈示装置１は、一例として、電子機器としてのカーナビゲーション装置と電気的に接続されているものとする。
【００１４】
また情報呈示装置１は、例えば、検出対象物としての導電性を有するペンや指による操作を検出することができるように構成されている。本実施の形態では、検出対象物としての指による操作について説明する。
【００１５】
この情報呈示装置１は、図１（ａ）及び（ｂ）に示すように、指による操作を案内する案内部１２と、案内部１２に案内されながらなされた操作を検出する検出部１４と、振動、音及び光の少なくとも１つを用いた呈示を行う呈示部１６と、呈示を行うための呈示領域を案内部１２に設定し、設定した呈示領域になされた操作が検出部１４によって検出された場合、呈示を行うように呈示部１６を制御する制御部１８と、を備えて概略構成されている。
【００１６】
この呈示領域とは、例えば、操作者が所望する情報に基づいて案内部１２に設定された領域である。
【００１７】
また情報呈示装置１は、図１（ａ）に示すように、筐体１０を備えている。この筐体１０の表面１００には、案内部１２が形成されている。なお、筐体１０の形状は、任意である。
【００１８】
（案内部１２の構成）
図２（ａ）は、実施の形態に係る情報呈示装置を上面から見た概略図であり、（ｂ）は、図２（ａ）のII（ｂ）-II（ｂ）線で切断した情報呈示装置の断面を矢印方向から見た概略図であり、（ｃ）は、呈示領域を説明するための上面図である。
【００１９】
案内部１２は、一例として、図２（ａ）及び（ｂ）に示すように、円形状を有している。本実施の形態に係る案内部１２は、図２（ｂ）に示すように、中心１０２を円の中心とする内径側の山部１２１と、外径側の山部１２２と、が筐体１０の表面１００より突出して設けられている。操作者は、山部１２１、山部１２２、及び山部１２１と山部１２２との間の底部１２３の少なくとも１つに指を接触させることで、案内部１２に沿った操作を行うことが可能となる。なお、案内部１２を上面から見た形状は、円形状に限定されず、任意である。
【００２０】
また、案内部１２は、操作者が指で触ることにより、認識可能なものであれば良い。従って、案内部１２は、例えば、表面１００に形成された溝や、表面１００に印刷により形成された凹凸であっても良い。
【００２１】
（検出部１４の構成）
検出部１４は、例えば、図２（ａ）に示すように、複数の検出素子１４０を備えて概略構成されている。
【００２２】
この検出素子１４０は、例えば、図２（ｂ）に示すように、案内部１２の底部１２３の下方に配置されている。検出素子１４０は、例えば、指が山部１２１、山部１２２、及び底部１２３の少なくとも１つに接触したことを検出することが可能な静電容量式センサである。なお、検出素子１４０は、これに限定されず、指が山部１２１、山部１２２、及び底部１２３の少なくとも１つに接触したことを検出することが可能なセンサであれば良い。従って、検出素子１４０は、例えば、感圧式センサ、抵抗膜式センサ及び歪ゲージ等であっても良い。
【００２３】
検出部１４は、図１（ｂ）に示すように、制御部１８に電気的に接続されている。検出部１４は、周期的に取得した検出値を制御部１８に出力するように構成されている。
【００２４】
（呈示部１６の構成）
呈示部１６は、例えば、呈示領域１０７において、指が検出されると、振動、音及び光の少なくとも１つを用いた呈示を行うように構成されている。本実施の形態に係る呈示部１６は、例えば、筐体１０の表面１００に振動を与えるように構成されている。
【００２５】
この呈示部１６は、例えば、図２（ａ）に示すように、案内部１２の中心１０２の下方に配置されている。呈示部１６は、一例として、金属板と、圧電素子と、を備えたモノモルフ型の圧電アクチュエータである。このモノモルフ型圧電アクチュエータとは、１枚の圧電素子だけで屈曲する構造のアクチュエータである。なお、呈示部１６の変形例としては、２枚の圧電素子を金属板の両面に設けたバイモルフ型圧電アクチュエータであっても良い。また、呈示部１６は、例えば、上記の圧電アクチュエータに限定されず、表面１００を振動させることができる周知の振動子を用いることができる。またさらに呈示部１６は、圧電アクチュエータの数も任意で良い。
【００２６】
なお呈示部１６は、例えば、音を発するスピーカーを用いて構成されても良く、さらに光を発する光源を用いて構成されても良い。さらに呈示部１６は、例えば、振動による呈示、音による呈示、及び光による呈示の少なくとも２つを組み合わせて情報の呈示を行う構成であっても良い。
【００２７】
（制御部１８の構成）
図３（ａ）及び（ｂ）は、実施の形態に係る情報呈示装置の動作を説明するための概略図である。図３（ａ）及び（ｂ）は、左側に表示装置３の表示画面３０、右側に情報呈示装置１の案内部１２の近傍が図示されている。また、図３（ａ）及び（ｂ）では、表示画面３０に表示されない地図画像３００上に目的地３０１があることを示している。つまり目的地３０１は、地図画像３００をスクロールして初めて表示画面３０に表示される地図上の点である。
【００２８】
制御部１８は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１８が動作するためのプログラムが格納されている。ＲＡＭは、例えば、一時的に演算結果等を格納する記憶領域として用いられる。また制御部１８は、その内部にクロック信号を生成する手段を有し、このクロック信号に基づいて動作を行う。
【００２９】
制御部１８は、図１（ｂ）に示すように、設定情報１８０と、しきい値１８１と、を備えている。
【００３０】
また制御部１８は、取得した操作者が所望する情報に基づいて呈示領域１０７を設定するように構成されている。具体的には、制御部１８は、取得した操作者が所望する情報に応じて案内部１２を含む平面に設定された設定点１０６と、案内部１２の中心１０２と、を結んだ直線１０５と、案内部１２と、が交差する領域１０１に基づいて呈示領域１０７を設定するように構成されている。なお、当該平面とは、筐体１０の表面１００を含む平面であるものとする。
【００３１】
ここで、設定点１０６は、情報呈示装置１が電気的に接続された電子機器において設定された設定値に基づいて設定される。本実施の形態に係る設定点１０６は、例えば、情報呈示装置１が電気的に接続されたカーナビゲーション装置において設定された設定値としての目的地３０１に基づいて設定される。つまり、この目的地３０１は、操作者が所望する情報に対応する。
【００３２】
従って、前述の設定情報１８０は、例えば、電子機器から取得され、電子機器において設定された設定値の情報を含むものである。制御部１８は、設定情報１８０に基づいて、電子機器の表示画面の中央を案内部１２の中心１０２に対応させ、さらに中心１０２が位置する表面１００を含む平面に目的地３０１を対応させた設定点１０６を算出するように構成されている。
【００３３】
しきい値１８１は、例えば、検出部１４から取得した検出値に基づいて検出点が検出されたか否かを判定するためのものである。制御部１８は、このしきい値１８１と、検出値と、を比較することで、検出点を検出する。また制御部１８は、検出点の座標を算出して記録し、この記録に基づいて操作情報を生成して電子機器に出力するように構成されている。
【００３４】
ここで、情報呈示装置１が接続される電子機器が、カーナビゲーション装置である場合、図３（ａ）及び（ｂ）に示すように、表示装置３の表示画面３０には、地図画像３００が表示される。図３（ａ）及び（ｂ）に示すアイコン３１は、車両の現在位置を示している。
【００３５】
操作者が、カーナビゲーション装置を操作して目的地３０１を設定し、現在地から目的地３０１までの道順を案内させる機能を用いる場合がある。この場合、目的地３０１は、設定された当初、図３（ａ）及び（ｂ）に示すように、表示画面３０に表示される範囲の地図画像３００には表示されないことが多い。つまり、目的地３０１が、表示画面３０に表示されないので、操作者は、目的地近傍の地図を見ようと地図画像３００をスクロールさせたくても目的地３０１の方向が分からないので、どの方向にスクロールさせれば良いのか分かり難い。
【００３６】
しかし、この情報呈示装置１は、操作者が設定した目的地３０１に対応した設定点１０６を算出し、この設定点１０６に基づいて呈示領域１０７を設定するように構成されている。さらに、情報呈示装置１は、案内部１２に案内された指が、この呈示領域１０７で検出されると、呈示部１６を介して操作者に振動を呈示するように構成されているので、操作者は、目的地３０１の方向を認識し易い。
【００３７】
この呈示領域１０７は、案内部１２の中心１０２と、設定点１０６と、を結ぶ直線１０５と、案内部１２と、とが交差する領域１０１に基づいて制御部１８により設定される。
【００３８】
具体的には、制御部１８は、例えば、図２（ｃ）に示すように、中心１０２を通り、直線１０５からの角度がθとなる直線を、直線１０５の両側に設定する。この直線１０５の両側の直線は、図２（ｃ）に示すように、直線１０５ａ及び直線１０５ｂである。制御部１８は、一例として、この直線１０５ａ及び直線１０５ｂと、案内部１２と、で作られる扇の案内部１２の部分を呈示領域１０７と設定する。この角度θは、任意である。
【００３９】
制御部１８は、一例として、この呈示領域１０７内に指が位置する間は、振動を呈示するための呈示信号を生成して呈示部１６に出力するように構成されている。従って、情報呈示装置１は、指が呈示領域１０７内に位置する間は、振動を呈示する。
【００４０】
なお、変形例として、指が呈示領域１０７内に検出された後、予め定められた期間だけ振動が呈示されるように、情報呈示装置１を構成しても良い。また呈示される振動は、連続的な振動であっても良いし、断続的な振動であっても良く、その振動パターンは、任意である。
【００４１】
以下では、情報呈示装置１の動作について、図４のフローチャートを参照しながら説明する。
【００４２】
（動作）
まず、操作者が、車両の電源を投入し、所定の操作により、カーナビゲーション装置を起動する。この起動により、情報呈示装置１が起動する。操作者は、カーナビゲーション装置を操作して、地図画像３００を表示画面３０に表示させる。続いて、操作者は、目的地３０１の情報を入力して車両を走行させる。
【００４３】
制御部１８は、検出部１４から周期的に検出値を取得すると共に（Ｓ１）、設定情報１８０をカーナビゲーション装置から取得し、この設定情報１８０に基づいて呈示領域１０７を設定する（Ｓ２）。
【００４４】
制御部１８は、取得した検出値と、しきい値１８１と、を比較して検出点が検出されたか否かを判定する。制御部１８は、検出点が有ると判定すると（Ｓ３：Ｙｅｓ）、検出された検出点が呈示領域１０７内に有るか否かを判定する。
【００４５】
制御部１８は、図３（ｂ）に示すように、検出された検出点が、設定した呈示領域１０７内に有る場合（Ｓ４：Ｙｅｓ）、振動を呈示するため、呈示信号を生成して呈示部１６に出力する。呈示部１６は、呈示信号に基づいて振動を呈示する（Ｓ５）。操作者は、この振動の呈示により、案内部１２に対する指の位置で、目的地３０１の方向を認識することが可能となる。
【００４６】
ここでステップ３において、制御部１８は、検出点が検出されない場合（Ｓ３：Ｎｏ）、ステップ１に処理を進める。
【００４７】
またステップ４において、制御部１８は、図３（ａ）に示すように、検出点が呈示領域１０７内にない場合（Ｓ４：Ｎｏ）、ステップ１に処理を進める。
【００４８】
上記の動作は、カーナビゲーション装置が起動している間、継続される。
【００４９】
（実施の形態の効果）
本実施の形態に係る情報呈示装置１は、表示装置等に視線移動させることなく、操作者が所望する情報を呈示することができる。つまり、情報呈示装置１は、案内部１２に案内されながら行われた操作において、操作者が所望する情報に基づいて設定された呈示領域１０７に操作が行われると呈示を行うので、表示装置等に視線移動させることなく、操作者が所望する情報を呈示することができる。
【００５０】
具体的には、操作者が所望する情報である目的地３０１の方向が、円形を有する案内部１２の中心１０２と設定点１０６を結んだ直線１０５の方向と一致する。このことから、情報呈示装置１は、この直線１０５と案内部１２とが交差する領域１０１を含む呈示領域１０７に指が検出されると振動を呈示するので、操作者は、所望する情報である目的地３０１の方向を認識し易くなる。つまり、操作者は、電子機器の表示装置に視線を移動させることなく、所望する情報を得ることができる。また、操作者は、案内部１２に沿って操作を行えば良いので、操作が簡単であり、また情報呈示装置１に視線を移動させることなく、決められた操作を行うことができるので、操作性が高い。
【００５１】
また情報呈示装置１は、指が呈示領域１０７内に位置する場合に振動の呈示を行うので、複数のアクチュエータの合成振動で方向を呈示する方法と比べて、１つのアクチュエータによる振動により、何れの方向が所望の方向であるのかの情報を呈示することができる。
【００５２】
さらに情報呈示装置１は、設定点１０６が、情報呈示装置１に電気的に接続された電子機器において設定された設定値に基づいて設定されるので、正確な呈示領域１０７を設定することが可能となり、操作者が所望する情報の呈示の精度が高い。
【００５３】
この情報呈示装置１は、構成が簡単で小型化し易いので、車両のステアリングに配置し、操作者の親指で操作するように構成することができる。操作者は、親指で案内部１２に沿って操作を行うことにより、表示装置等に視線移動することなく、所望の情報を得ることができる。
【００５４】
ここで、以下では、情報呈示装置１の変形例について説明する。
【００５５】
図５（ａ）は、タッチパッドの周囲に案内部が配置された変形例を示す概略図であり、（ｂ）は、ベゼルに設けられた開口が案内部となる変形例を示す概略図である。
【００５６】
図５（ａ）に示す変形例では、タッチパッド４を囲むように、案内部１２が形成されている。この変形例では、操作者は、カーソルの操作等はタッチパッド４で行い、所望の情報を知りたい場合は、案内部１２に操作を行う。
【００５７】
図５（ｂ）に示す変形例では、タッチパッド４上に配置されたベゼル５の開口が案内部１２となっている。操作者は、この開口に沿って指を移動させることにより、開口下のタッチパッド４が操作を検出し、指が呈示領域１０７に到達すると、振動が呈示される。
【００５８】
他の変形例として、情報呈示装置１は、案内部１２に相当する構成を有することで、予め定められた操作を行うことができるように構成されたジョイスティックやダイヤル式の操作装置等に搭載することができる。
【００５９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６０】
１…情報呈示装置
３…表示装置
４…タッチパッド
５…ベゼル
１０…筐体
１２…案内部
１４…検出部
１６…呈示部
１８…制御部
３０…表示画面
３１…アイコン
１００…表面
１０１…領域
１０２…中心
１０５…直線
１０５ａ…直線
１０５ｂ…直線
１０６…設定点
１０７…呈示領域
１２１…山部
１２２…山部
１２３…底部
１４０…検出素子
１８０…設定情報
１８１…しきい値
３００…地図画像
３０１…目的地
【図１】
2014077650.tif 000003
【図２】
2014077650.tif 000004
【図３】
2014077650.tif 000005
【図４】
2014077650.tif 000006
【図５】
2014077650.tif 000007